(57)【特許請求の範囲】
【請求項１】
頭部付きファスナーの軸部が嵌まる単位保持体の多数本を備えており、前記単位保持体は並列状に配置されていて隣り合った単位保持体は破断可能なブリッジ部にて接続されており、
前記各単位保持体は、ファスナーの頭部寄りに位置する筒状の第１保持部と、ファスナーの先端側に位置する筒状の第２保持部と、両者の間に位置した脆弱部とを一体に連設した構造になっており、
更に、前記各単位保持体の内部には、軸径の異なるファスナーを抱持し得る弾性保持手段が形成されている、
という合成樹脂製のファスナー用連結具であって、
前記弾性保持手段は、ファスナーの軸を囲うように内向きに突設した複数のリブ対であるか、又は、第２保持体にその端面に開口するように形成した環状溝であるか、若しくは前記リブと環状溝との両方であって、
前記各リブの対は単位保持体の軸方向に長く延びており、リブの対により、ファスナーの軸に向けて開口した平断面Ｖ形又はＵ形の溝が形成されている一方、
前記環状溝の内側は、ファスナーの軸によって広げ変形させられる内筒になっている、
ファスナー用の連結具。
【請求項２】
前記各単位保持体の第２保持部に、動力式打ち込み工具のマガジン部に形成されたファスナー用ガイド溝に嵌まる足部を設けている、
請求項１に記載したファスナー用の連結具。
【請求項３】
請求項１又は請求項２に記載した連結具の各単位保持体にファスナーが嵌め込まれている、
連結ファスナー。
【発明の詳細な説明】
【０００１】
【発明の属する技術分野】
本発明は、釘やねじのように軸の一端部に頭部を設けたファスナーの多数本を並列状に並べた状態に連結するための連結具及びこの連結具にファスナーを嵌め込んで成る連結ファスナーに関するものである。
【０００２】
【従来の技術】
従来から、電動式や空圧式等の動力式打ち込み工具で釘やねじ等のファスナーを連続的に打ち込み可能にするため、連結具により、多数本のファスナーを並列状に並べた状態に保持した連結ファスナーが使用されている。
【０００３】
その一例が特許２５８８８１２号公報に開示されており、これを図１１〜図１２で示している。図１１は斜視図、図１２は平面図である。
【０００４】
これらの図では連結釘１を示しており、連結釘１に使用される連結具２′は合成樹脂製であり、１本の釘３の軸部３ａが嵌まるように貫通穴４が空いた単位保持体（スリーブ）５を多数並列状に並べた形態になっている。以下の説明では、便宜上、釘３の挿入方向から見て手前側を上部、前方側を下部と称する。
【０００５】
各単位保持体５は、上部に位置した第１保持部６と、下部に位置した第２保持部７と、両者の間に位置した脆弱部８とを一体に連設した構造になっており、第１保持部６の外形は八角形に形成されており、第２保持部７は円筒状に形成されている。脆弱部８は一対の柱状になっており、このため両保持部６，７の間の部分は凹所９になっており、凹所９の箇所で貫通穴４が横向きに開口している。
【０００６】
隣合った単位保持体５は、第１保持部６と第２保持部７との２ヶ所において、弱い力で破断するブリッジ部１０によって一体に接続されている。釘３の先端部は単位保持体５から突出している。
【０００７】
貫通穴４のうち第１保持部６の箇所は平断面略菱形状に形成される一方、第２保持部７の箇所では断面円形に形成されている。また、単位保持体５の上面のうち連結具２′の長手中心線を挟んだ両側には、釘２の打ち込み時に応力を集中させて第１保持部６を割れ易くするため、一対の切欠き（Ｖノッチ）１１が形成されている。
【０００８】
この連結釘１は、図１３（概略平面図）に示すように、釘打ち機のマガジン１２に装填して使用される。
【０００９】
この例では、マガジン１２内には、前後一対のガイド体１３，１４を設けており、前ガイド体１４には、釘３の前向き露出部が嵌まる釘用ガイド溝１５が形成されている。後ガイド体１４は、各単位保持体５の上部が嵌まるようになっており、この後ガイド体１４に、凹所９の箇所から露出した釘３が当たる突条１６を設けている。
【００１０】
連結釘１は、釘打ち機のヘッド（図示せず）からロッドによって１本ずつ打ち出される。打ち出しにより、釘３の頭部３ｂで押されてブリッジ部１０が破断して、ヘッドに位置した単位保持体５は釘３と共に打ち出される。
【００１１】
そして、釘３と共に打ち出された単位保持体５は、釘３の頭部３ｂとワークとの間に軸方向に挟圧されることにより、第１保持部６は切欠き１１の箇所で２つに割れて、第２保持部７のみが釘３の軸部３ａに嵌まったままになる。
【００１２】
従って、ワークは単位保持体５の第２保持部７を介して押さえ固定されることになる。換言すると、第２保持部７が座金のような状態になり、単位保持体５の残骸が打ち込み箇所に残ったままになる。
【００１３】
上記のように、打ち込み箇所に単位保持体５の残骸が残ったままになる構造の連結具２′に代えて、特開平１１−１９８０６４号公報には、釘の打ち込み時に、単位保持体の全体を釘の頭部で押し広げて割れ破断させることにより、単位保持体を釘の外側に飛散させるようにした構造、すなわち、単位保持体の残骸が打ち込み箇所に残らないようにした構造の連結具が開示されている。
【００１４】
【発明が解決しようとする課題】
ワークの表面を化粧板等で覆う場合や、打ち込み箇所が人目に触れない場合は、美観上の問題はないので、特許第２５８８８１２号公報に記載されている連結具２′を使用することができる。このタイプの連結具は、単位保持体の残骸による現場の汚れや掃除の手間を回避できる。
【００１５】
他方、美感の問題がある場合や、ワークの表面に大きな凹凸があってはならない場合には、特開平１１−１９８０６４号公報に開示されている連結具を使用すれば良い。
【００１６】
ところで、この種の連結具は合成樹脂を素材とした射出成形法によって製造されるものであり、製造用の金型が必要である。そして、これら両先行技術はそれぞれ特有の形態であるため、製造のためには別々の金型が必要である。
【００１７】
しかし、このように用途によって別々の金型を製造するのは、それだけコストが嵩むという問題がある。特に、図面から容易に理解できるとおり、凹所９と貫通穴４との向きが異なること、並びに両ブリッジ部１０の間に空間が存在していることにより、単純に密着離反するだけの金型ではこの連結具２′は製造できず、一方の金型を割り型構造にしなければならないため、金型の構造が複雑化して一層コストが嵩むことになる。
【００１８】
また、両従来技術とも、釘の軸径や長さの違いに対する適応性が低いという問題があった。
【００１９】
例えば、図１２から明らかなように、釘３は第２保持部７のみで保持されているため、釘３の軸径がある程度の寸法よりも小さくなると、釘３にがたつきが生じて打ち込み不良が発生し易くなることになり、このため、釘３の軸径に応じて他種類の連結具２′を製造しなければならない問題があった。
【００２０】
また、図１３に示すように、釘打ち機のマガジン内では、釘３の前向き露出部を釘用ガイド溝１５に嵌め入れて連結具２′のガイドをしているため、軸部３ａが単位保持体５から露出しない短い釘は使用できない問題があった。
【００２１】
本発明は、ファスナーの軸径や長さの違いに対する適応性に関する問題を解消することを技術的課題とする。
【００２２】
【課題を解決するための手段】
本願発明は連結具と連結ファスナーとを含んでいる。請求項１の発明は連結具に係るものであり、この連結具は、頭部付きファスナーの軸部が嵌まる単位保持体の多数本を備えており、前記単位保持体は並列状に配置されていて隣り合った単位保持体は破断可能なブリッジ部にて接続されている。
【００２３】
前記各単位保持体は、ファスナーの頭部寄りに位置する筒状の第１保持部と、ファスナーの先端側に位置する筒状の第２保持部と、両者の間に位置した脆弱部とを一体に連設した構造になっており、
更に、前記各単位保持体の内部には、軸径の異なるファスナーを抱持し得る弾性保持手段が形成されている。
【００２４】
そして、前記弾性保持手段は、ファスナーの軸を囲うように内向きに突設した複数のリブ対であるか、又は、第２保持体にその端面に開口するように形成した環状溝であるか、若しくは前記リブと環状溝との両方であって、前記各リブの対は単位保持体の軸方向に長く延びており、リブの対により、ファスナーの軸に向けて開口した平断面Ｖ形又はＵ形の溝が形成されている一方、前記環状溝の内側は、ファスナーの軸によって広げ変形させられる内筒になっている。
【００２５】
請求項２の発明は、請求項１において、前記各単位保持体の第２保持部に、動力式打ち込み工具のマガジン部に形成されたファスナー用ガイド溝に嵌まる足部を設けている。
【００２６】
請求項３の発明は連結ファスナーに係るものであり、連結ファスナーは、請求項１又は請求項２に記載した連結具の各単位保持体にファスナーが嵌め込まれている。
【００２７】
【発明の効果】
【００２８】
本願発明による、軸径が多少相違するファスナーもガタ付きなく保持できるため、軸径の違いに応じて連結具を製造するにおいてその種類を少なくすることができ、その結果、コストを抑制できる。
【００２９】
請求項２のように構成すると、各単位保持体に設けた足部によって連結具の移動がガイドされるため、軸部が単位保持体から露出しない短いファスナーも従来の打ち込み工具にそのまま使用することができる。
【００３０】
【００３１】
【発明の実施の形態】
以下、本発明を具体化した実施形態を図面に基づいて説明する。なお、基本的に従来と同じものは同じ符号を付して、その詳細な説明を省略する。
【００３２】
(1).第１実施形態（図１〜図10）
図１〜図１０は、本発明を連結釘１に適用した第１実施形態を示している。
【００３３】
図１は上方から見た斜視図、図２は下方から見た斜視図、図３は平面図、図４は正面図、図５は底面図、図６の各分図は図３の A-A視、 B-B視、 C-C視断面図、図７は使用状態の一例を示す断面図、図８は使用状態の別例を示す断面図、図９は釘打ち機のマガジン１２に装填した状態の概略図、図１０は打ち込み状態を示す図である。
【００３４】
本実施形態の連結具２は、図１３〜１４に示した従来の連結具２′と基本的に同じ構成であり、各単位保持体５は、第１保持部６、第２保持部７、脆弱部８を備えている。
【００３５】
図６（Ａ）（Ｂ）に示すように、貫通穴４の内面のうち上半部は釘３の軸部３ａよりも遥かに大きい面積で、かつ、ストレート状になっている。上半部において貫通穴４の面積が大きいのは、打ち込み時に釘３の頭部３ｂで第１保持部６を確実に割り破断させるためである。
【００３６】
貫通穴４の下半部は、第１テーパ部４ａ、これより緩い角度の第２テーパ部４ｂ、小径ストレート部４ｃの状態で連続している。２段階のテーパ状に形成しているのは、図８に示すように２段階のテーパ部３ｃ，３ｄを備えた異径釘３′と、ストレート状の釘３とを取付けできるようにするためである。
【００３７】
ストレート状の釘３を取付ける場合、小径ストレート部４ｃの内径寸法と同じ直径の釘３が使用可能な最小径となる。
【００３８】
図３、図６、図７に示すように、貫通穴４の内部のうち上半部には、請求項に記載した弾性保持手段の一例として、釘３の軸部３ａを囲う複数対のリブ（突起、突条）１９を内向きに突設している。
【００３９】
各リブ１９の対は、釘３の軸部３ａを４方から囲うように配置されており、単位保持体５の長手方向に長く延びている。リブ１９の対によって平面視Ｖ型（Ｕ型でも良い）の溝が形成されている。そして、図３に示すように、平面視で各リブ１９の対の先端が小径ストレート部４ｃに外接するように設定している。
【００４０】
リブ１９は、軸心を挟んだ両側に複数対あれば良いが、釘３の安定性を高める点からは、本実施形態のように軸心を挟んだ両側に複数対ずつ設けるのが好ましい。
【００４１】
図１や図６に示すように、各単位保持体５の第２保持部７には、下端面に開口した環状溝２０が形成されている。換言すると、第２保持部７は二重筒状に形成されている。この環状溝２０は、強度調整手段としての役割と弾性保持手段との両方を兼ねている。
【００４２】
なお、環状溝２０の内面は貫通穴４の形状に合わせてテーパ状に形成されており、このため、第２保持部７の内筒７ａはほぼ等しい厚さになっている。
【００４３】
第２保持部７の下端（先端）のうち、軸心を挟んで連結具２の長手方向に向かった両側には、請求項２に記載した足部２１を突設している。図９に示すように、足部２１は、釘打ち機における前ガイド体１４の釘用ガイド溝１５にガタ付きなくスライド自在に嵌まる寸法に設定している。
【００４４】
足部２１は、軸心を挟んで連結具２の長手方向に沿った両側に設けているため、釘３と干渉することなく、釘用ガイド溝１５に嵌まる。
【００４５】
次に、各単位保持体５による釘３の保持の態様と、釘２の打ち込み時における単位保持体５の破断の態様とを説明する。
【００４６】
図１では、細くて長い釘３を取付けている状態を示しており、この状態では、釘３は、第２保持部７で抱持されると共に、第１保持部６のリブ１９の群によって保持されている。
【００４７】
図７の（Ａ）（Ｂ）では細くて短い釘３を取付けた状態を示している。（Ｂ）は（Ａ）の B-B視断面図である。この状態では、釘３は、主として第１保持部６におけるリブ１９の群でガタ付きのない状態に保持されている。
【００４８】
貫通穴４が第１保持部６の箇所で釘３の軸部３ａよりも遥かに大きい断面積になっていても、リブの存在により、細くて短い釘３であっても、ガタ付きのない状態に保持して、ワークに真っ直ぐに打ち込むことができる。
【００４９】
図７（Ｃ）の実線では太くて長い釘３を取付けた状態を示している。この状態では、第２保持部７の内筒７ａが広がり変形することと、第１保持部６の各リブ１９が撓み変形すること（第１保持部６自体も多少は膨れるように変形している）により、太い釘３の取付けが許容されている。
【００５０】
図７（Ｂ）の一点鎖線では、太い釘３の軸部を示している。図７の一点鎖線で示すように、太くて短い釘３も取付けることができる。
【００５１】
図９では、短い釘３が取付けられた連結具２を釘打ち機のマガジン１２に装填した状態を示しており、この図に示すように、足部２１が釘用ガイド溝１５に嵌まっているため、短い釘３であっても、安定した姿勢で打ち込むことができる。また、リブ１９も釘３の姿勢の安定性向上に寄与しており、両者の相乗作用により、釘３を正確に打ち込むことができる。
【００５２】
図１０では、打ち込まれた後の状態を示している。このうち（Ａ）では、第１保持部６は破断して変形し、第２保持部７が釘３に嵌まったままでワークＷが固定されている。足部２１は曲がり変形している。
【００５３】
連結具２を例えばポリエチレンのような比較的柔らかい合成樹脂で製造すると、第２保持部７は半径外向きに押し広げられる前に潰れ変形するため、このような形態での打ち込みが可能になる。
【００５４】
図１０（Ｂ）に示す例では、単位保持体５は全体が破断して、釘３の頭部３ｂがワークＷに密着している。連結具２をポリプロピレンのような比較的硬い樹脂て製造すると、軸方向の外力に対しては強く（すなわち、軸方向の圧縮応力は大きく）、半径外向きの押圧力に対しては弱くなる（すなわち、円周方向のせん断応力は小さくなる）。
【００５５】
このため、第１保持部６が釘３の頭部３ｂの押圧力で破れ破断すると、これがきっかけとなって、第２保持部７も軸方向に裂けるように破断する（この場合、貫通穴４のテーパ部４ａ，４ｂが釘の頭部３ｂの移動を案内するガイド手段の役割を果たしている）。
【００５６】
第２保持部７に環状溝２０を形成して、樹脂の性質（硬さ、脆さ）の違いによって破断したり破断しなかったりする強度に設定すると、素材となる合成樹脂を変えるだけで、単位保持体５の残骸を座金状に残したり、全体を飛散させたりすることができる。
【００５７】
第２保持部７の強度を調整する手段としては、当該第２保持部７の外径を従来よりも小径にすれば良いとも考えられるが、そうすると、単位保持体５の残骸が釘３に残る場合、ワークＷ及び頭部３ｂと第２保持部７との接触面積が小さくなるため、ワークＷを局部的に強く押圧し過ぎて、ワークＷの変形をもたらすような不具合が懸念される。
【００５８】
これに対して本実施形態のように第２保持部７を二重筒状に形成すると、第２保持部７の外径は大きいままであるため、ワークＷとの密着面積は従来と同様に保持して、ワークＷを適切に固定することができる。
【００５９】
本実施形態では、リブ１９と環状溝２０と足部２１とを備えているが、三者のうちの１つだけを備えるか、任意の組合せで２つを備えることも可能である。
【００６０】
【００６１】
【００６２】
【００６３】
【００６４】
(3).その他
本発明は上記の実施形態の他にも様々に具体化できる。例えば、各単位保持体の下面から下向き突出した足部は、各保持体に少なくとも１つあれば良い。
【００６５】
また、貫通穴は、第２保持部の箇所においても、多角形のような非円形とすることも可能である。各単位保持体をそれぞれ別々に製造して、これらを接着剤で接着したり、蟻溝と蟻ホゾとからなる嵌め合わせ構造で連結したりすることも可能である。
【００６６】
また、本願発明は、釘に限らず、ピンやリベット、或いはねじなど、軸の一端部に頭部を備えたファスナーに広く適用できる。
【図面の簡単な説明】
【図１】第１実施形態を上方から見た斜視図である。
【図２】下方から見た斜視図である。
【図３】平面図である。
【図４】正面図である。
【図５】底面図である。
【図６】図３の断面図で、 (A)は A-A視断面図、 (B)は B-B視断面図、 (C)は C-C視断面図である。
【図７】使用状態を示す断面図で、 (B)は (A)の B-B視断面図である。
【図８】他の使用状態を示す断面図である。
【図９】釘打ち機のマガジンに装填した状態の概略平面図である。
【図10】打ち込み状態を示す図である。
【図11】従来例の斜視図である。
【図12】従来例の平面図である。
【図13】従来の連結釘の使用状態を示す概略図である。
【符号の説明】
１  連結ファスナーの一例としての連結釘
２  連結具
３，３′  釘
４  貫通穴
５  単位保持体
６  第１保持部
７  第２保持部
８  脆弱部
１０  ブリッジ部
１３，１４  ガイド体
１５  釘用ガイド溝
１９  弾性保持手段の一例としのてリブ
２０  強度調整手段の一例としての環状溝
２１  足部
【図１】
0003939089.tif 000002
【図２】
0003939089.tif 000003
【図３】
0003939089.tif 000004
【図４】
0003939089.tif 000005
【図５】
0003939089.tif 000006
【図６】
0003939089.tif 000007
【図７】
0003939089.tif 000008
【図８】
0003939089.tif 000009
【図９】
0003939089.tif 000010
【図１０】
0003939089.tif 000011
【図１１】
0003939089.tif 000012
【図１２】
0003939089.tif 000013
【図１３】
0003939089.tif 000014